(57)【要約】  【課題】  大型の貯蔵物を収納できるとともに、小型の貯蔵物を取出しが容易で転がりによる傷付きを防止できる冷蔵庫を提供する。  【解決手段】  貯蔵室４内に配されて貯蔵室４の前面から引き出して貯蔵物Ｗ１、Ｗ２を収納する収納ケース６と、収納ケース６内に配して貯蔵物Ｗ１、Ｗ２を載置する載置部１２を有するとともに収納ケース６内を異なる広さの前部６ａと後部６ｂとに分割する隔離壁１１を立設したトレー１０とを備えた。【選択図】      図２
2006105515.tif 000002
【特許請求の範囲】
【請求項１】
貯蔵室内に配されて前記貯蔵室の前面から引き出して貯蔵物を収納する収納ケースと、前記収納ケース内に配して貯蔵物を載置するとともに前記収納ケース内を分割する隔離壁を立設したトレーとを備えたことを特徴とする冷蔵庫。
【請求項２】
前記隔離壁によって分割された前記収納ケース内の各区画を異なる広さにしたことを特徴とする請求項１に記載の冷蔵庫。
【請求項３】
前記隔離壁を前記トレーの中央に対して一方に偏った位置に配置したことを特徴とする請求項１または請求項２に記載の冷蔵庫。
【請求項４】
前記隔離壁の上端に水平方向に突出した取っ手部を設けたことを特徴とする請求項１〜請求項３のいずれかに記載の冷蔵庫。
【請求項５】
前記隔離壁に通気孔を設けたことを特徴とする請求項１〜請求項４のいずれかに記載の冷蔵庫。
【請求項６】
前記通気孔の上部周縁に延びて水平方向に突出した突起部を設けたことを特徴とする請求項５に記載の冷蔵庫。
【請求項７】
前記トレーの周縁に肉厚を厚くした厚肉部を設けたことを特徴とする請求項１〜請求項６のいずれかに記載の冷蔵庫。
【発明の詳細な説明】
【技術分野】
【０００１】
本発明は、貯蔵物を収納する収納ケースを有した冷蔵庫に関する。
【背景技術】
【０００２】
従来の冷蔵庫は野菜を収納する野菜室を有している。野菜室は前面を扉で覆われ、扉と一体の収納ケースを引き出して貯蔵物の出し入れが行われる。このため、貯蔵物を出し入れする際に収納ケースがスライド移動し、収納ケース内に収納された桃や梨等の小さい貯蔵物が転がって傷付く問題がある。また、収納ケースを深くすると小さな貯蔵物を取り出しにくくなる。
【０００３】
特許文献１には収納ケースの上面開口部にフルーツ収納ケースを設けた冷蔵庫が開示されている。フルーツ収納ケースは左右に区分けされ、収納ケースに対してスライド移動可能に形成されている。これにより、フルーツ収納ケースに収納される小さな貯蔵物の転がりが減少して傷付きを低減するとともに取出しを容易にすることができる。
【特許文献１】特開平１１−１５９９５２号公報（第３頁、第２図）
【発明の開示】
【発明が解決しようとする課題】
【０００４】
しかしながら、上記特許文献１に開示された冷蔵庫によると、フルーツ収納ケースによって収納ケース内が上下２段に分割されるため、スイカやカボチャ等の大きな貯蔵物を収納することが困難になる問題があった。
【０００５】
本発明は、大型の貯蔵物を収納できるとともに、小型の貯蔵物を取出しが容易で転がりによる傷付きを防止できる冷蔵庫を提供することを目的とする。
【課題を解決するための手段】
【０００６】
上記目的を達成するために本発明は、貯蔵室内に配されて前記貯蔵室の前面から引き出して貯蔵物を収納する収納ケースと、前記収納ケース内に配して貯蔵物を載置するとともに前記収納ケース内を分割する隔離壁を立設したトレーとを備えたことを特徴としている。この構成によると、貯蔵物は隔離壁で分割された各区画内に分けて収納され、収納ケースを引き出して貯蔵物の挿入及び取り出しが行われる。また、隔離壁を上方に持ち上げることによりトレイ上に載置された下方の貯蔵物が取り出される。
【０００７】
また本発明は、上記構成の冷蔵庫において、前記隔離壁によって分割された各区画を異なる広さにしたことを特徴としている。この構成によると、狭い区画に小さい貯蔵物が収納され、広い区画に大きな貯蔵物が収納される。
【０００８】
また本発明は、上記構成の冷蔵庫において、前記隔離壁を前記トレーの中央に対して一方に偏った位置に配置したことを特徴としている。この構成によると、トレーの配置方向を反対にすると収納ケース内の分割された各区画の広さが変わる。
【０００９】
また本発明は、上記構成の冷蔵庫において、前記隔離壁の上端に水平方向に突出した取っ手部を設けたことを特徴としている。この構成によると、取っ手部を持って隔離壁が持ち上げられる。
【００１０】
また本発明は、上記構成の冷蔵庫において、前記隔離壁に通気孔を設けたことを特徴としている。この構成によると、分割された各区画に通気孔を介して冷気が流入する。
【００１１】
また本発明は、上記構成の冷蔵庫において、前記通気孔の上部周縁に延びて水平方向に突出した突起部を設けたことを特徴としている。この構成によると、通気孔に手を挿入し、手指を突起部に掛けて隔離壁を持ち上げることができる。
【００１２】
また本発明は、上記構成の冷蔵庫において、前記トレーの周縁に肉厚を厚くした厚肉部を設けたことを特徴としている。この構成によると、トレーの周縁の強度が向上する。
【発明の効果】
【００１３】
本発明によると、収納ケース内に配されるトレーに隔離壁を立設したので、隔離壁で分割された各区画に貯蔵物が分けて収納される。従って、収納ケースの引き出しによる貯蔵物の転がりが減少して貯蔵物の傷付きを低減することができる。また、収納ケースを上下に分割しないので大きな貯蔵物を収納することができる。更に、隔離壁を把持してトレーを上方に持ち上げることにより、小さな貯蔵物でも容易に取り出すことができる。
【００１４】
また本発明によると、隔離壁によって分割された各区画を異なる広さにしたので、貯蔵物を大きさに応じて各区画に収納することができる。従って、収納ケースの引き出しによる貯蔵物の転がりがより減少する。
【００１５】
また本発明によると、隔離壁をトレーの中央に対して一方に偏った位置に配置したので、貯蔵物に応じてトレーの配置方向を反対にして収納ケース内の各区画の広さを可変することができる。
【００１６】
また本発明によると、隔離壁の上端に水平方向に突出した取っ手部を設けたので、トレーを容易に持ち上げることができる。
【００１７】
また本発明によると、隔離壁に通気孔を設けたので、各区画に容易に冷気を導いて収納ケース内の温度むらを防止することができる。
【００１８】
また本発明によると、通気孔の上部周縁に延びて水平方向に突出した突起部を設けたので、手指を突起部に掛けて持ちやすく容易にトレーを持ち上げることができる。
【００１９】
また本発明によると、トレーの周縁に肉厚を厚くした厚肉部を設けたので、トレーの周囲が波打つことを防止して美観を損ねない。
【発明を実施するための最良の形態】
【００２０】
以下に本発明の実施形態を図面を参照して説明する。図１は一実施形態の冷蔵庫を示す正面図である。冷蔵庫１は冷蔵室３を上部に備え、下部に野菜室４と冷凍室５とが左右に並設されている。冷蔵室３の前面は左右端に枢支軸が設けられたドア３ａ、３ｂが回動して開閉される。野菜室４の前面は冷凍室５から離れた側に枢支軸が設けられたドア４ａが回動して開閉される。冷凍室５の前面は野菜室４から離れた側に枢支軸が設けられたドア５ａ、５ｂが回動して開閉される。
【００２１】
図２は冷蔵庫１の左側面断面図を示している。野菜室４には前面から引き出して貯蔵物を出し入れする複数の収納ケース６が設けられている。一の収納ケース６内には貯蔵物が載置されるトレー１０が設けられている。収納ケース６の底面後部には位置決め突起６ｃ（図６参照）が設けられ、トレー１０は収納ケース６の前壁と位置決め突起６ｃとにより位置決めされている。
【００２２】
図３〜図５はトレー１０を示す側面断面図、正面図及び上面図である。トレー１０は樹脂成形品から成り、貯蔵物を載置する載置部１２の周囲が上方に向かって傾斜した傾斜面１２ａになっている。傾斜面１２ａの上端から成るトレー１０の周縁は肉厚が厚くなった厚肉部１２ｂが設けられる。これにより、トレー１０の強度を向上し、トレー１０の周囲が波打つことを防止して美観を損ねないようになっている。
【００２３】
トレー１０には、載置部１２の中央よりも前後方向の一方に偏った位置に隔離壁１１が立設されている。隔離壁１１により収納ケース６内が前部６ａ及び後部６ｂ（いずれも図２参照）から成る各区画に分割される。また、隔離壁１１が載置部１２の中央に対して偏った位置に設けられるため、貯蔵物に応じてトレー１０の前後方向を反対に配置して前部６ａと後部６ｂの広さを可変することができる。
【００２４】
前部６ａ及び後部６ｂの広さは、収納ケース６に対するトレー１０の配置と、載置部１２に対する隔離壁１１の配置とによって決められる。本実施形態では前部６ａが狭く、後部６ｂが広くなっている。これにより、図６に示すように、桃や梨等の小さい貯蔵物Ｗ１が前部６ａに収納され、スイカやカボチャ等の大きな貯蔵物Ｗ２が後部６ｂに収納される。尚、隔離壁１１によって収納ケース６内を左右に分割してもよい。この時、載置部１２を平面視正方形に形成すると、同一のトレー１０の向きを変えることにより収納ケース６内を前後または左右に択一的に分割することができる。
【００２５】
隔離壁１１の上端には水平方向に突出したリブから成る取っ手部１１ａが設けられる。前述の図６に示すように、取っ手部１１ａに手指を掛けてトレー１０を容易に持ち上げることができる。これにより、深い収納ケース６に収納された小さな貯蔵物Ｗ１を容易に取り出すことができる。尚、取っ手部１１ａを前方にのみ突出して形成してもよい。しかし、前方及び後方に突出して形成することによってトレー１０の前後を反対に配置しても容易に手指を掛けることができる。
【００２６】
隔離壁１１の上部には通気孔１１ｂが設けられる。これにより、収納ケース６内に流入した冷気が通気孔１１ｂを介して前部６ａ及び後部６ｂに行き渡り、収納ケース６内の温度むらを防止することができる。通気孔１１ｂを複数設けると温度むらをより低減することができる。
【００２７】
通気孔１１ｂは手が挿入可能な大きさに形成され、通気孔１１ｂの周縁は水平方向に突出したリブから成る突起部１１ｃが設けられる。これにより、通気孔１１ｂの上端と隔離壁１１の上端との間から成る把持部１１ｄが形成される。通気孔１１ｂに手を挿入して手指を突起部１１ｃに掛けることにより把持部１１ｄを把持することができる。その結果、貯蔵物Ｗ１、Ｗ２（図６参照）により重くなったトレー１０を容易に持ち上げることができる。
【００２８】
また、突起部１１ｃによって把持部１１ｄが持ちやすくなる。突起部１１ｃは少なくとも通気孔１１ｂの上部周縁を左右に延びて形成されていればよい。また、突起部１１ｃを前後の一方のみに突出して形成してもよい。
【００２９】
本実施形態によると、収納ケース６内に配されるトレー１０に隔離壁１１を立設したので、隔離壁１１で分割された前部６ａ及び後部６ｂに貯蔵物Ｗ１、Ｗ２が分けて収納される。従って、収納ケース６の引き出しによる貯蔵物Ｗ１、Ｗ２の転がりが減少して貯蔵物Ｗ１、Ｗ２の傷付きを低減することができる。また、収納ケース６を上下に分割しないので大きな貯蔵物Ｗ２を収納することができる。更に、隔離壁１１を把持してトレー１０を上方に持ち上げることにより、小さな貯蔵物Ｗ１でも容易に取り出すことができる。
【００３０】
また、隔離壁１１によって分割された前部６ａ及び後部６ｂを異なる広さにしたので、貯蔵物Ｗ１、Ｗ２を大きさに応じて前部６ａまたは後部６ｂに収納することができる。従って、収納ケース６内に収納された貯蔵物Ｗ１、Ｗ２の周囲の隙間が小さくなり、収納ケース６の引き出しによる貯蔵物Ｗ１、Ｗ２の転がりがより減少する。
【００３１】
尚、野菜室４の他の収納ケース内に同様のトレー１０を設けてもよく、冷蔵室３や冷凍室５に設置した収納ケース内に同様のトレー１０を設けてもよい。また、貯蔵室を開閉するスライド式の扉と一体に収納ケース６を設けてもよい。
【産業上の利用可能性】
【００３２】
本発明によると、貯蔵物を収納する引き出し式の収納ケースを有した冷蔵庫に利用することができる。
【図面の簡単な説明】
【００３３】
【図１】本発明の実施形態の冷蔵庫を示す正面図
【図２】本発明の実施形態の冷蔵庫を示す左側面断面図
【図３】本発明の実施形態の冷蔵庫のトレーを示す側面断面図
【図４】本発明の実施形態の冷蔵庫のトレーを示す正面図
【図５】本発明の実施形態の冷蔵庫のトレーを示す上面図
【図６】本発明の実施形態の冷蔵庫の収納ケースを示す側面断面図
【符号の説明】
【００３４】
１    冷蔵庫
３    冷蔵室
４    野菜室
５    冷凍室
６    収納ケース
１０    トレー
１１    隔離壁
１１ａ  取っ手部
１１ｂ  通気孔
１１ｃ  突起部
１１ｄ  把持部
１２    載置部
１２ａ  傾斜面
１２ｂ  厚肉部
Ｗ１、Ｗ２  貯蔵物
【図１】
2006105515.tif 000003
【図２】
2006105515.tif 000004
【図３】
2006105515.tif 000005
【図４】
2006105515.tif 000006
【図５】
2006105515.tif 000007
【図６】
2006105515.tif 000008